(57)【要約】【課題】硬膜外に薬液を注入する際に該薬液の濾過をするための医療用フィルタ装置１を形成する際の部品点数を少なくする。【解決手段】フィルタ７が充填される本体２を一半部８と他半部９とに二分すると共に、これら半部８、９同士を連結部１０で一連状に連結するようにして部品天水を一つにする。【選択図】図２
2017127347.tif 000002
【特許請求の範囲】
【請求項１】
フィルタが充填される中空盤状の本体と、該本体の周面部にそれぞれ形成される注入口、流出口とを有する医療用フィルタ装置であって、前記本体は、注入口が形成される一半部と、流出口が形成される他半部とに二分され、これら半部同士は、屈曲自在な連結部で一連状に連結されたものを各半部の端部同士を突き合わせて一体化したものであることを特徴とする医療用フィルタ装置。
【請求項２】
各半部の端部には、半部同士の位置決めをする突起が設けられていることを特徴とする請求項１記載の医療用フィルタ装置。
【請求項３】
本体は、径方向に二分されていることを特徴とする請求項１または２記載の医療用フィルタ装置。
【請求項４】
本体は、厚み方向に二分されていることを特徴とする請求項１または２記載の医療用フィルタ装置。
【発明の詳細な説明】
【技術分野】
【０００１】
本発明は、静脈内または硬膜外用に使用する医療用フィルタ装置の技術分野に関するものである。
【背景技術】
【０００２】
例えば硬膜外麻酔法においては、硬膜外カテーテルの装置端に連結した医療用フィルタ装置に注射器を接続し、該注射器に充填される麻酔薬（薬液）を医療用フィルタで濾過するようにして硬膜外に注入するようにしている。このような医療用フィルタ装置は、一般に患者の皮膚にテープ止めされるため、平板状になっている。そのようなものとして、注射器が接続される注入口が形成された一半部と、カテーテルが接続される流出口が形成された他半部とが厚み方向に二分され、これら半部同士を、フィルタを挟み込む状態で突き合わせて接着することで医療用フィルタ装置を形成するようにしたものが知られている（例えば特許文献１参照）。
【先行技術文献】
【特許文献】
【０００３】
【特許文献１】特開平１０−７６００５号公報
【発明の概要】
【発明が解決しようとする課題】
【０００４】
ところで前記従来のものは、厚み方向に二分された一半部と他半部の二部品を少なくとも必要とするため部品点数が多いうえ、両半部同士を突き合わせて接着することになるため、位置決めが難しいという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、フィルタが充填される中空盤状の本体と、該本体の周面部にそれぞれ形成される注入口、流出口とを有する医療用フィルタ装置であって、前記本体は、注入口が形成される一半部と、流出口が形成される他半部とに二分され、これら半部同士は、屈曲自在な連結部で一連状に連結されたものを各半部の端部同士を突き合わせて一体化したものであることを特徴とする医療用フィルタ装置である。
請求項２の発明は、各半部の端部には、半部同士の位置決めをする突起が設けられていることを特徴とする請求項１記載の医療用フィルタ装置である。
請求項３の発明は、本体は、径方向に二分されていることを特徴とする請求項１または２記載の医療用フィルタ装置である。
請求項４の発明は、本体は、厚み方向に二分されていることを特徴とする請求項１または２記載の医療用フィルタ装置である。
【発明の効果】
【０００６】
請求項１の発明とすることにより、フィルタが充填される本体が二分されたものでありながら連結部を介して一連状に連結されているため、部品点数が少なく、組付けも簡単になる。
請求項２の発明とすることにより、半部同士の位置決めが容易になり、精度の高いものにすることができる。
請求項３、４の発明とすることにより、構造の簡略化かできることになる。
【図面の簡単な説明】
【０００７】
【図１】医療用フィルタ装置の平面図である。
【図２】（Ａ）〜（Ｃ）は医療用フィルタ装置の組み込み手順を示す断面図である。
【図３】カテーテルを組込んだ状態を示す断面図である。
【図４】（Ａ）（Ｂ）は第二の実施の形態を示す医療用フィルタ装置の展開図、側面図である。
【発明を実施するための形態】
【０００８】
以下、本発明の実施の形態について、図面に基づいて説明する。１は医療用のフィルタ装置であって、該フィルタ装置１は、中空円盤状の本体２と、該本体２の周面に何れも設けられ、注射器３を接続するための注入口４と、カテーテル５が接続するための流出口６とが突出形成されると共に、本体２内にはフィルタ７が充填されている。そして注射器３に充填された薬液を注入口４から本体２内に充填すると、フィルタ７で濾過された薬液が流出口６からカテーテル５に流出し、例えば硬膜外に注入されるようになっている。
【０００９】
本体２は、注入口４が形成された一半部８と、流出口６が形成された他半部９とが径方向（円弧部）に二分され、屈曲自在な連結部１０を介して折曲された状態で一連状に連結されている。そして本体２は、何れか一方の半部８または９にフィルタ７を充填した状態で、連結部１０を折り曲げて半部端同士を、他方の半部９または８にフィルタ７を充填する状態で突き合わせ、突き合わせ端縁Ｘ同士を例えば超音波融着（溶着）により一体化することにより形成されるようになっている。この場合に、突き合わせ端部には、位置決めをするため形成された突起８ａ、９ａ同士を突き合わせることで、両半部８、９の正確な位置合わせができるようになっている。
【００１０】
注入口４には該注入口４を開閉自在に蓋をするための蓋体１１が連結部１１ａを介して一体に設けられている。蓋体１１は、内周面にネジ溝１１ｂが形成され、該螺子溝１１ｂに注入口４の端部外周面に設けた突起４ａを係止する状態で回転させることで嵌合するようになっている。尚、連結部１１ａの長さは、蓋体１１を螺子入れて回転させて注入口４の蓋をする長さに対応できるようになっている。
【００１１】
一方、流出口６には螺子奥ほど小径になった螺子孔６ａが形成されている。そして該螺子孔６ａに、カテーテル５が挿入された螺子部１２をねじ込むことでカテーテル５を流出口６に接続することができるが、カテーテル５の抜止めを防止するため、螺子部１２は、先端ほど尖鋭状になったものが三脚状（多脚状）に分岐した脚部１２ａが形成されている。脚部１２ａは、自然状態で螺子孔６ａよりも大径になっており、カテーテル５を脚部１２ａを越える状態で挿入し、該脚部１２ａを細めるようにして強制的に螺子部６ａに螺入すると、脚部１２ａは次第に小径状態になってカテーテル５を確りと挟持することになってカテーテル５の抜止めをするようになっている。尚、螺子部１２と流出口６には位置決め用の突起６ｂ、１２ｂとが形成され、これら突起６ｂ、１２ｂ同士が突き合う位置まで螺子部１２を螺入する（螺子部１２の頭部底面が流出部６の上面とのあいだに僅かに隙間がある。）ことで、カテーテル５が押し潰されず抜止めもなされたジャストフィットの状態での挿入組込みができるようになっている。一方、突起１２ｂが突起６ｂを越えるようにして螺子部１２の頭部底面が流出部６の上面に当接するまで螺子部１２を螺入すると、脚部１２ａの隣接する先端同士および側縁同士が互いに当接し、これによって流出口６を塞ぐように設定されている。尚、螺子部１２も連結部１２ｃを介して流出口６に連結されているが、この連結部１２ｃの長さも螺子部１２を流出口にねじ込むことに対応した長さになっている。
【００１２】
叙述の如く構成された本発明の実施の形態において、医療用フィルタ装置１の本体２は、半部８、９同士に二分されるが、これら半部８、９同士は連結部１０によって一連状に連結されているため、部品点数が一つになって構造が簡略化され、組込みも容易になる。
しかもこのものでは、半部の突合せ端に位置決め用の突起８ａ、９ａがあるから、精度の高い組込みができることになる。
【００１３】
尚を本発明は前記実施の形態のものに限定されないものであることは勿論であって、例えば図４に示す第二の実施の形態のように本体１３を厚み方向（周面部）に二分した半部１４、１５で形成し、これら半部１４、１５同士を連結部１６で一連状に連結するようにしても実施することができる。この場合に、半部１４、１５同士を超音波融着で接着するものである場合に、突き合わせ端縁は平面状にする必要があり、そこで突き合わせ端縁Ｘを、注入口６の他半部側端と流出口４の一半部側端とを結ぶ傾斜平面とすることで超音波融着ができることになる。
【産業上の利用可能性】
【００１４】
本発明は、硬膜外に薬液を注入するときに薬液の濾過をするための医療用フィルタ装置として利用することができる。
【符号の説明】
【００１５】
１  医療用フィルタ装置
２  本体
３  注射器
４注入口
５  カテーテル
６  流出口
７  フィルタ
８  一半部
８ａ  突起
９  他半部
９ａ  突起
１０  連結部
【図１】
2017127347.tif 000003
【図２】
2017127347.tif 000004
【図３】
2017127347.tif 000005
【図４】
2017127347.tif 000006
【手続補正書】
【提出日】平成29年3月29日(2017.3.29)
【手続補正１】
【補正対象書類名】明細書
【補正対象項目名】０００５
【補正方法】変更
【補正の内容】
【０００５】
本発明は、上記の如き実情に鑑みこれらの課題を解決することを目的として創作されたものであって、請求項１の発明は、フィルタが充填される中空盤状の本体と、該本体の周面部にそれぞれ形成される注入口、流出口とを有する医療用フィルタ装置であって、前記本体は、注入口が形成される一半部と、流出口が形成される他半部とに二分され、これら半部同士は、屈曲自在な連結部で一連状に連結されたものを各半部の端部同士を突き合わせて一体化したものであり、前記流出口は、奥ほど小径になった螺子孔が形成され、該螺子孔に、カテーテルが挿入された螺子部をねじ込む該カテーテルを流出口に接続するものであり、該螺子部には、先端ほど尖鋭状になるよう多脚状に分岐し、自然状態で螺子孔入り口よりも大径な脚部が形成され、カテーテルが脚部を越える状態で挿入された該脚部を、細めるようにして強制的に螺子部に螺入することで、該脚部は小径状態になってカテーテルを挟持して抜止めをするものであり、さらに螺子部と流出口には、カテーテルを押し潰されず抜止めもなされたジャストフィットの状態での挿入組込みをするための位置決め用突起が形成されていることを特徴とする医療用フィルタ装置である。
【手続補正２】
【補正対象書類名】明細書
【補正対象項目名】０００６
【補正方法】変更
【補正の内容】
【０００６】
請求項１の発明とすることにより、フィルタが充填される本体が二分されたものでありながら連結部を介して一連状に連結されているため、部品点数が少なく、組付けも簡単になる。しかも半部同士の位置決めが容易になり、精度の高いものにすることができる。
【手続補正３】
【補正対象書類名】特許請求の範囲
【補正対象項目名】全文
【補正方法】変更
【補正の内容】
【特許請求の範囲】
【請求項１】
フィルタが充填される中空盤状の本体と、該本体の周面部にそれぞれ形成される注入口、流出口とを有する医療用フィルタ装置であって、前記本体は、注入口が形成される一半部と、流出口が形成される他半部とに二分され、これら半部同士は、屈曲自在な連結部で一連状に連結されたものを各半部の端部同士を突き合わせて一体化したものであり、
前記流出口は、奥ほど小径になった螺子孔が形成され、該螺子孔に、カテーテルが挿入された螺子部をねじ込む該カテーテルを流出口に接続するものであり、
該螺子部には、先端ほど尖鋭状になるよう多脚状に分岐し、自然状態で螺子孔入り口よりも大径な脚部が形成され、カテーテルが脚部を越える状態で挿入された該脚部を、細めるようにして強制的に螺子部に螺入することで、該脚部は小径状態になってカテーテルを挟持して抜止めをするものであり、
さらに螺子部と流出口には、カテーテルを押し潰されず抜止めもなされたジャストフィットの状態での挿入組込みをするための位置決め用突起が形成されていることを特徴とする医療用フィルタ装置。